Podtech/llm-jp-corpus-v4-ja_patent huggingface dataset:
(57)【特許請求の範囲】
【請求項１】
２分割するための溝を備えた割り箸の先端部側部に片方の側部から向かい側の側部まで同じ太さで貫通孔を形成した割り箸の使用方法であって、前記の割り箸を弁当等に同梱されている開封が困難な薬味袋を、２分割する前の箸の状態で貫通孔が形成されているスリット部の孔の位置に薬味袋を挟み、外れて落下しないよう手で箸の両側を押さえた後に貫通孔の手前側部から向かい側の側部まで爪楊枝を差し込み穿孔開封する割り箸の使用方法。
【発明の詳細な説明】
【技術分野】
【０００１】
本発明は薬味袋穿孔用割り箸に関するものである。
【背景技術】
【０００２】
一般にわが国では、弁当等を食する際は杉材や間伐材で製造されている各種の割り箸を使用している。このときに使用する所定の長さの割り箸は中央部の長手方向に2分割するための溝を表裏に形成し食事時には両手で2つに分離して一膳の箸として使用するようになっている。
【０００３】
上記のこれらの箸は弁当等の容器内の食物を食するため使用されるのみである。弁当の内容によっては副食物に味付け補助するための薬味袋入り調味料が同梱されている場合もあるが、これらの箸はこの補助調味料の醤油、ソース等の薬味袋の穿孔、開封の目的ではない。また薬味袋を指先又は爪で開封する場合は中身の補助調味料が漏れて指先への付着、汚れを伴い不快感がある、また薬味袋開封者の指先や爪が細菌や人体に有害な化学物質に汚染されていれば開封時に薬味袋の中身の補助調味料が汚染され、これを副食物にかけて食すれば衛生上も不潔であり人体への悪影響も懸念される。
【発明の概要】
【発明が解決しようとする課題】
【０００４】
本発明は、上記の現状に鑑みて開発されたものであり、前記の問題点を解決でき、弁当等を食する際の薬味袋を衛生的かつ容易に穿孔、開封できることを目的とする。
【課題を解決するための手段】
【０００５】
本発明は、上記の目的を達成するために、次のような構成にしてある。すなわち請求項1記載の本発明の割り箸は2分割するための溝を備えた割り箸において、前記箸部の先端部の側部より同じ太さの貫通孔を形成したことを特徴とする。
【発明の効果】
【０００６】
コンビニ、弁当屋で弁当購入時には箸が提供される、この箸と共に箸袋には爪楊枝が同封されている場合が多い、この爪楊枝を利用すれば持ち歩かなくても本発明の割り箸では近くに手を洗うための設備や手を清潔に拭くためのおしぼり等を持参していない場合にも爪楊枝があれば薬味袋を安易かつ衛生的に穿孔,開封して中身の醤油、ソース等をとり出せることができる。また開封の為の切込みの無い薬味袋であっても子供、女性、指先の力の弱い人でも取り出す事が容易にできる。
【図面の簡単な説明】
【０００７】
【図１】本発明に係る割り箸の平面図である。
【図２】同割り箸の側面図である。
【図３】同本割り箸の使用状態を示す斜視図である。
【発明を実施するための形態】
【０００８】
以下、本発明の実施の形態について説明する。図1は本発明に係る割り箸を示す平面図であり、図2は側面図である。図3は本発明に係る割り箸の使用状態を示す斜視図である。これらの図において例示の割り箸1は木材の加工の段階で箸部の先端部位4より20ｍｍの側部位置に長手方向に対して直角方向に直径が2.5ｍｍの同じ太さの貫通孔3a,3bを形成している。割り箸1は長手方向中央部に2分割するための溝8が表裏に形成してあり使用時に2分割が容易にできるように先端部位4より箸の長さの1/2〜1/3程度まで細いスリット5が加工されている。以下薬味袋の中身を出すときに必要である本割り箸の使い方を説明する。一対の箸部2a,2bの個々の箸が割れて2つに分離しないように両手の指先で開き、図3のように一対の箸部2a,2b間のスリット部5に薬味袋6を貫通孔3a,3bの間にはさみ、一対の箸部2a,2bの両側の箸部外側部9a,9bをこの薬味袋6が落下しないように指先で固定し貫通孔3aもしくは3bより爪楊枝7を差し込み薬味袋6に穴の開いたのを確認したら爪楊枝７を抜きり薬味袋6を取り外し中身の薬味を副食物に添加することができる。
【符号の説明】
【０００９】
1      割り箸本体
2a,2b  一対の箸部
3a,3b   貫通孔
4      箸部の先端部
5      スリット部
6      薬味袋
7      爪楊枝
8      溝部
9a,9b 一対の箸部の外側
【要約】      （修正有）【課題】弁当等に添付してある醤油、ソース等の薬味袋を穿孔、開封し中身を容易に出せるようにする。【解決手段】２分割するための溝８を備えた割り箸１において、先端部側部に直角方向に同じ太さの貫通孔３ａ、３ｂを形成する。一対の箸部２ａ、２ｂ間のスリット部５に薬味袋を貫通孔の位置ではさみ、箸部の両側の箸部外側部９ａ、９ｂをこの薬味袋が落下しないように指先で固定しながら貫通孔３ａもしくは３ｂより爪楊枝を差し込むことにより、薬味袋に安易かつ衛生的に穿孔し開封することができる。【選択図】図１【図１】
0006712347.tif 000002
【図２】
0006712347.tif 000003
【図３】
0006712347.tif 000004
(57)【特許請求の範囲】
【請求項１】
自転車の荷台と後部幼児座席の間に、金属で形成したＵ字型の金具を挟むことによって固定される自転車の幼児座席用カバー。
【請求項２】
幌側スライドファスナー（３（図４））とレインカバー側スライドファスナー（３（図３））を結合することで、紫外線カット及び撥水加工を施したドーム型の幌から、撥水加工のあるポリエステルの生地を縫合したレインカバーが垂下することを特徴とする請求項１に記載の自転車の幼児座席用カバー。
【発明の詳細な説明】
【技術分野】
【０００１】
本発明は、自転車の後部幼児用座席カバーに関するものである。
【背景技術】
【０００２】
従来の自転車の幼児座席用レインカバーには、下端が開口した袋状に形成し、このカバーをチャイルドシートの上側から被せて装着するようにしたものがある（例えば引用文献１）。
また、他の幼児座席用レインカバーには、座席を囲むように複数のフレームを設け、この複数のフレームでシート状のレインカバー本体を幼児座席の周囲を取り囲むように保形し、これにより幼児座席に座った子供の周囲に十分な空間を形成したようにしたものがある（例えば引用文献２）。
【先行技術文献】
【特許文献】
【０００３】
【特許文献１】実用新案登録第３１６６３１４号公報
【特許文献２】特開２００８−６２８２３号公報
【発明の概要】
【発明が解決しようとする課題】
【０００４】
しかし、前者の従来の場合、幼児座席用レインカバーを立体形状に保形するためのフレームが設けられていないため、天井面が幼児座席のヘッドレストに支えられる構造である。そのため幼児の座高が座席の高さを越えると天井面が着席した幼児の頭部に接触し、十分な空間を儲けることができない。
また、後者の従来の場合、幼児座席に座った子供の周囲に十分な空間を確保することができるが、複数のフレームを幼児座席の周囲を取り囲むように取り付ける必要があるため装着に手間がかかり、またフレームが多いためコンパクトに収納できず、持ち運びができないという問題があった。
さらに、いずれのカバーも風雨を避けることを目的としているため、防寒性は高いが夏は暑くて使えないという問題がある。
【０００５】
本発明は上記問題点に鑑み、幼児座席に座った幼児の周囲に十分な居住空間を形成することができるとともに、パーツを少なくすることで装着を容易にし、またコンパクトに収納できる。さらに幌単体で、幼児座席に着席する幼児の紫外線対策用品として季節を問わず使用することができる晴雨兼用カバーを提供することを目的としている。
【課題を解決するための手段】
【０００６】
本発明における幼児用座席カバーは、Ｕ字型の金具により幼児用座席に固定されたドーム型の幌と、幌の外周円に垂下する取り外し可能なレインカバーにより形成されていることを特徴とする。
【０００７】
本発明品は、Ｕ字型の金具により取り付けられた幌により高さが固定されているため、幼児座席に着席した幼児の頭部の周囲により広い空間を形成することができることを特徴とする。
【０００８】
本発明品は、ドーム型の幌にＵＶカット加工を施し、幌単体でも紫外線対策として季節を問わず使用できることを特徴とする。
【発明の効果】
【０００９】
本発明によれば、幌は可撓性のある枠でドーム型に保形されているため、幼児座席に着席した幼児の頭部の周囲により広い空間を形成することができる。
さらに、幌はＵＶカット加工が施されているため、晴天時に日除けとして使用することができるため、収納の手間がない。
【図面の簡単な説明】
【００１０】
【図１】雨天兼用カバーを自転車のリヤ側に装着した状態の自転車の側面図である。
【図２】雨天兼用カバーを自転車のリヤ側に装着した状態の自転車の背面図である。
【図３】雨天兼用カバーのレインカバーの斜傾図である。
【図４】雨天兼用カバーの幌部分の斜傾図である。
【図５】雨天兼用カバーの幌部分の背面図である。
【図６】雨天兼用カバーの畳んだ幌のみを自転車のリヤ側に装着した自転車の側面図である。
【図７】雨天兼用カバーの広げた幌のみを自転車のリヤ側に装着した自転車の側面図である。
【発明を実施するための形態】
【００１１】
以下、本発明の実施の形態を図面に基づいて説明する。
【００１２】
本発明品は図４の１を、自転車リヤ側の荷台と、荷台に装着した後部用幼児座席の間に挟み、図４の２の幌を装着する。
【００１３】
図４の２は張りがあり、撥水加工及び紫外線カットの加工を施している。
【００１４】
図４の幌後部の垂下端はゴムが縫い込まれており、１３のストッパーでゴムの長さを調整できる。さらに、１１のフックに１２を引っ掛けることで、様々な後部幼児座席の背面にフィットし、背面からの風雨の侵入を防ぐ。
図２は、1のＵ字金具を装着した例で、１１〜１３は使用していない図である。
【００１５】
図４の幌後部の垂は内側に１０のポケットが縫い付けられている。幌を装着したまま、図３のレインカバーを収納できる。
【００１６】
図３の下端にはゴムが縫い込まれている。前記のゴムは、１４で長さを調整できる。
【００１７】
図３の１５は、張枠４の直下にあり、自転車の走行中にレインカバーが外れないよう、自転車の荷台にカバーを固定するバンドである。
【符号の説明】
【００１８】
２         紫外線カット及び撥水幌
３         スライドファスナー
４〜６     張り枠
７〜９     透明窓
１６       通気口
１７       外ポケット
【図１】
0006712814.tif 000002
【図２】
0006712814.tif 000003
【図３】
0006712814.tif 000004
【図４】
0006712814.tif 000005
【図５】
0006712814.tif 000006
【図６】
0006712814.tif 000007
【図７】
0006712814.tif 000008